【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
情報登録装置であって、
登録対象の人物に関する情報であって、少なくとも目的地を含む情報を取得する取得手段と、
前記目的地に基づき前記人物の撮像条件を決定する決定手段と、
決定した前記撮像条件に基づいて、撮像部に前記人物を撮像させて登録画像を生成させる制御手段と、
を備えることを特徴とする情報登録装置。
【請求項２】
情報登録装置であって、
登録対象の人物に関する情報であって、少なくとも目的地を含む情報を取得する取得手段と、
前記目的地に基づき前記人物の撮像条件を決定する決定手段と、
撮像部が前記人物を撮像して生成した画像を、決定した前記撮像条件に基づいて処理して登録画像を生成する処理手段と、
を備えることを特徴とする情報登録装置。
【請求項３】
前記目的地を外部装置に通知する通信手段をさらに備え、
前記決定手段は、前記目的地の通知に応じて前記通信手段が前記外部装置から受信した情報に基づき前記撮像条件を決定し、
前記通信手段は、前記外部装置に前記登録画像を送信することを特徴とする請求項１または２に記載の情報登録装置。
【請求項４】
前記通信手段が受信した情報には、前記目的地と関連付けられて設置された撮像装置により前記人物が撮像される場合の撮像条件の情報が含まれることを特徴とする請求項３に記載の情報登録装置。
【請求項５】
前記通信手段が受信した情報には、前記目的地、及び、該目的地までの経路上に設置された撮像装置により前記人物が撮像される場合の複数の撮像条件の情報が含まれることを特徴とする請求項３に記載の情報登録装置。
【請求項６】
前記撮像条件には、前記撮像装置による撮像動作を制御するためのパラメータ及び前記撮像装置の撮像環境に関するパラメータが含まれることを特徴とする請求項４又は５に記載の情報登録装置。
【請求項７】
前記撮像環境に関するパラメータには、前記撮像装置が設置された環境における照度、前記撮像装置による撮像角度、照明色、照明種別の少なくともいずれかを示す値が含まれることを特徴とする請求項６に記載の情報登録装置。
【請求項８】
前記撮像動作を制御するためのパラメータには、露出、シャッタースピード、解像度、ホワイトバランスの少なくともいずれかを示す値が含まれることを特徴とする請求項６または７に記載の情報登録装置。
【請求項９】
情報処理装置であって、
監視対象の人物の目的地に基づいて、前記人物の情報を登録しようとする情報登録装置が前記人物を撮像する場合の第１の撮像条件を決定する決定手段と、
通信手段であって、
決定した前記第１の撮像条件を前記情報登録装置に送信し、該送信した前記第１の撮像条件に基づき撮像され生成された登録画像を前記情報登録装置から受信し、
複数の撮像装置と通信する通信手段と、
受信した前記登録画像と、前記複数の撮像装置のうち前記第１の撮像条件が設定された第１の撮像装置から前記通信手段が受信した撮像画像とに基づいて、前記人物の認証を行う処理手段と
を備えることを特徴とする情報処理装置。
【請求項１０】
情報処理装置であって、
複数の撮像装置と通信する通信手段と、
監視対象の人物の目的地に基づいて、前記人物が前記目的地に到着するまでに前記複数の撮像装置のいずれかにより撮像される場合の該撮像装置の撮像条件を決定する決定手段と、
前記人物の画像を、決定した前記撮像条件に基づいて処理して登録画像を生成する処理手段と
を備え、
前記通信手段は、前記登録画像を、前記複数の撮像装置のうち、前記登録画像の生成に使用された撮像条件が設定される撮像装置に送信する
ことを特徴とする情報処理装置。
【請求項１１】
情報処理装置であって、
複数の撮像装置と通信する通信手段と、
監視対象の人物の目的地に基づいて、前記人物が前記目的地に到着するまでに前記複数の撮像装置のいずれかにより撮像される場合の該撮像装置の撮像条件を決定する決定手段と、
前記人物の画像を、決定した前記撮像条件に基づいて処理して登録画像を生成する処理手段と
前記登録画像と、前記複数の撮像装置のうち前記撮像条件が設定された第１の撮像装置が撮像し、前記通信手段が受信した撮像画像とに基づいて、前記人物の認証を行う認証手段と
を備えることを特徴とする情報処理装置。
【請求項１２】
情報登録装置の制御方法であって、
取得手段が、登録対象の人物に関する情報であって、少なくとも目的地を含む情報を取得する取得工程と、
決定手段が、前記目的地に基づき前記人物の撮像条件を決定する決定工程と、
制御手段が、決定した前記撮像条件に基づいて、撮像部に前記人物を撮像させて登録画像を生成させる制御工程と、
を含むことを特徴とする情報登録装置の制御方法。
【請求項１３】
情報登録装置の制御方法であって、
取得手段が、登録対象の人物に関する情報であって、少なくとも目的地を含む情報を取得する取得工程と、
決定手段が、前記目的地に基づき前記人物の撮像条件を決定する決定工程と、
処理手段が、撮像部が前記人物を撮像して生成した画像を、決定した前記撮像条件に基づいて処理して登録画像を生成する処理工程と、
を含むことを特徴とする情報登録装置の制御方法。
【請求項１４】
情報処理装置の制御方法であって、
決定手段が、監視対象の人物の目的地に基づいて、前記人物の情報を登録しようとする情報登録装置が前記人物を撮像する場合の第１の撮像条件を決定する決定工程と、
通信手段が、決定した前記第１の撮像条件を前記情報登録装置に送信し、該送信した前記第１の撮像条件に基づき撮像され生成された登録画像を前記情報登録装置から受信する工程と、
前記通信手段が、複数の撮像装置と通信する通信工程と、
処理手段が、受信した前記登録画像と、前記複数の撮像装置のうち前記第１の撮像条件が設定された第１の撮像装置から前記通信工程において受信した撮像画像とに基づいて、
前記人物の認証を行う処理工程と
を含むことを特徴とする情報処理装置の制御方法。
【請求項１５】
情報処理装置の制御方法であって、
決定手段が、監視対象の人物の目的地に基づいて、前記人物が前記目的地に到着するまでに複数の撮像装置のいずれかにより撮像される場合の該撮像装置の撮像条件を決定する決定工程と、
処理手段が、前記人物の画像を、決定した前記撮像条件に基づいて処理して登録画像を生成する処理工程と
通信手段が、前記登録画像を、前記複数の撮像装置のうち、前記登録画像の生成に使用された撮像条件が設定される撮像装置に送信する工程と
を含むことを特徴とする情報処理装置。
【請求項１６】
情報処理装置の制御方法であって、
決定手段が、監視対象の人物の目的地に基づいて、前記人物が前記目的地に到着するまでに複数の撮像装置のいずれかにより撮像される場合の該撮像装置の撮像条件を決定する決定工程と、
処理手段が、前記人物の画像を、決定した前記撮像条件に基づいて処理して登録画像を生成する処理工程と、
通信手段が前記複数の撮像装置のそれぞれと通信する通信工程と、
認証手段が、前記登録画像と、前記複数の撮像装置のうち前記撮像条件が設定された第１の撮像装置が撮像し、前記通信工程において受信した撮像画像とに基づいて、前記人物の認証を行う認証工程と
を含むことを特徴とする情報処理装置の制御方法。
【請求項１７】
コンピュータを、請求項１から８のいずれか１項に記載の情報登録装置として機能させるためのプログラム。
【請求項１８】
コンピュータを、請求項９から１１のいずれか１項に記載の情報処理装置として機能させるためのプログラム。